(57)【特許請求の範囲】
【請求項１】
遊技場内に設けられ、少なくとも所定の認証キーによって遊技制御を行ないうるようにした遊技機と、該遊技機に通信可能に併設された台間装置とを有し、前記遊技機を管理する遊技機管理システムであって、
前記台間装置は、
遊技場外の前記認証キーを管理する認証キー管理手段から定期的に配信され、遊技機識別情報とは異なる第１の認証キーを取得する認証キー取得手段と、
少なくとも第２の認証キーを記憶する記憶手段と、
認証キー取得手段により前記認証キー管理手段から取得された第１の認証キーを前記遊技機との装置間の認証に用い、少なくとも前記認証キー取得手段により前記認証キー管理手段からの第１の認証キーの取得が未了である場合には前記記憶手段に記憶された第２の認証キーを前記遊技機との装置間の認証に用いるよう認証キーを取り扱う認証キー取扱手段と、
前記認証キー取扱手段により認証に用いる対象となった認証キーを用いて前記遊技機の動作を管理するべく前記遊技機に対応して設けられる動作管理手段と
を備えたことを特徴とする遊技機管理システム。
【請求項２】
前記動作管理手段は、認証キーが有効であるか否かを、当該認証キーに関連した所定の情報によって判定し、少なくとも有効であることを条件として前記遊技機が遊技制御を行いうるようにするための処理をすることを特徴とする請求項１に記載の遊技機管理システム。
【請求項３】
前記動作管理手段は、
所定の条件に基づいて新たな認証キーの取得が必要であることを判定する取得判定手段と、
前記取得判定手段が認証キーの取得が必要であることを判定した場合に、認証キーを要求する認証キー要求手段と
をさらに備えたことを特徴とする請求項１又は２に記載の遊技機管理システム。
【請求項４】
前記認証キー取得手段は、前記遊技機を識別する識別情報及び／又は前記認証キー取扱手段を識別する識別情報に基づいて、対応する認証キーを前記認証キー管理手段から取得することを特徴とする請求項１又は２に記載の遊技機管理システム。
【請求項５】
前記認証キー取得手段は、前記遊技機を設置した遊技店の識別情報に対応する認証キーを前記認証キー管理手段から取得することを特徴とする請求項１又は２に記載の遊技機管理システム。
【請求項６】
遊技場内に設けられ、少なくとも所定の認証キーによって遊技制御を行ないうるようにした遊技機と、前記遊技機に対応して設置されて前記遊技機の認証を行なう認証装置とを設置した遊技場を管理する遊技場管理装置であって、
遊技場外の前記認証に用いる認証キーを管理する認証キー管理サーバから定期的に配信され、遊技機識別情報とは異なる第１の認証キーを取得する認証キー取得手段と、
少なくとも第２の認証キーを記憶する記憶手段と、
前記認証キー取得手段により前記認証キー管理サーバから取得された前記遊技機との装置間の認証に用いる第１の認証キーを前記認証装置に配信し、少なくとも前記認証キー取得手段により前記認証キー管理サーバからの第１の認証キーの取得が未了である場合には前記記憶手段に記憶された第２の認証キーを前記認証装置に配信する認証キー配信手段と
を備えたことを特徴とする遊技場管理装置。
【請求項７】
遊技場内に設けられ、少なくとも所定の認証キーによって遊技制御を行ないうるようにした遊技機と、該遊技機に通信可能に併設された台間装置とを有し、前記遊技機を管理する遊技機管理方法であって、
前記台間装置が、遊技場外の認証に用いる認証キーを管理する認証キー管理手段から定期的に配信され、遊技機識別情報とは異なる第１の認証キーを取得する認証キー取得工程と、
少なくとも第２の認証キーを記憶部に格納する格納工程と、
前記認証キー取得工程により前記認証キー管理手段から取得された第１の認証キーを前記遊技機との装置間の認証に用い、少なくとも前記認証キー取得工程により前記認証キー管理手段からの第１の認証キーの取得が未了である場合には前記記憶部に格納された第２の認証キーを前記遊技機との装置間の認証に用いるよう認証キーを取り扱う認証キー取扱工程と、
前記認証キー取扱工程により認証に用いる対象となった認証キーを用いて前記遊技機の動作を管理する動作管理工程と
を含むことを特徴とする遊技機管理方法。
【請求項８】
遊技場内に設けられ、少なくとも所定の認証キーによって遊技制御を行ないうるようにした遊技機と、前記遊技機に対応して設置されて前記遊技機の認証を行なう認証装置とを設置した遊技場を管理する遊技場管理プログラムであって、
遊技場外の前記認証キーを管理する認証キー管理サーバから定期的に配信され、遊技機識別情報とは異なる第１の認証キーを取得する認証キー取得手順と、
少なくとも第２の認証キーを記憶部に格納する格納手順と、
前記認証キー取得手順により前記認証キー管理サーバから取得された前記遊技機との装置間の認証に用いる第１の認証キーを前記認証装置に配信し、少なくとも前記認証キー取得手順により前記認証キー管理サーバからの第１の認証キーの取得が未了である場合には前記記憶部に格納された第２の認証キーを前記認証装置に配信する認証キー配信手順と
をコンピュータに実行させることを特徴とする遊技場管理プログラム。
【発明の詳細な説明】
【技術分野】
【０００１】
この発明は、遊技場内に設けられ、少なくとも所定の認証キーによって遊技制御を行ないうるようにした遊技機を管理する遊技機管理システム、該遊技機が設置された遊技場を管理する遊技場管理装置、遊技機管理方法及び遊技場管理プログラムに関する。
【背景技術】
【０００２】
従来、パチンコ店等の遊技店には、一般的に遊技機の機外にパチンコ玉等の遊技媒体を投出する遊技機（以下、「開放式遊技機」と言う）が配設されてきたが、最近になって、他店からの持込玉や異なる貸出レート間の持込玉の問題が顕在化してきたため、かかる持込玉が発生しない封入式遊技機が注目されている。
【０００３】
例えば、特許文献１には、遊技客が遊技媒体である遊技玉に触れない構造とし、遊技玉が入賞すると該入賞分の遊技玉数を持玉数に加算し、入賞しないアウト玉分の遊技玉数を持玉数から減算する封入式遊技機が開示されている。
【０００４】
かかる封入式遊技機では、少量（例えば２００玉）の遊技玉を内部循環玉として繰り返し使用するため、装置外部への遊技玉の排出や装置外部からの遊技玉の受け入れが発生しないため、上記持込玉に関する問題が生じない。
【０００５】
一方で、封入式遊技機では遊技玉をデータとして管理するので、データを改竄する不正による影響が特に甚大となる。このため、外部のサーバより取得した認証キーを用いた遊技機の認証を行ない、認証が適正に行なわれた場合に動作可能とすることが不正の防止に有効であると考えられる。
【先行技術文献】
【特許文献】
【０００６】
【特許文献１】特開２００２−２３３６３５号公報
【発明の概要】
【発明が解決しようとする課題】
【０００７】
しかしながら、外部のサーバより取得した認証キーによる認証が適正に行なわれることを遊技機の動作の条件とすると、外部のサーバとの通信による認証キーの取得が未了である場合に遊技機が使用できない。このように遊技機が使用できないと、遊技店の運用に非常に大きな障害が生じる。
【０００８】
本発明は、上記課題を解決するためになされたものであって、外部のサーバからの認証キーの取得が未了の場合であっても遊技機を動作可能とする遊技機管理システム、遊技場管理装置、遊技機管理方法及び遊技場管理プログラムを提供することを目的とする。
【課題を解決するための手段】
【０００９】
上記した課題を解決し、目的を達成するため、本発明は、遊技場内に設けられ、少なくとも所定の認証キーによって遊技制御を行ないうるようにした遊技機と、該遊技機に通信可能に併設された台間装置とを有し、前記遊技機を管理する遊技機管理システムであって、前記台間装置は、遊技場外の前記認証キーを管理する認証キー管理手段から定期的に配信され、遊技機識別情報とは異なる第１の認証キーを取得する認証キー取得手段と、少なくとも第２の認証キーを記憶する記憶手段と、認証キー取得手段により前記認証キー管理手段から取得された第１の認証キーを前記遊技機との装置間の認証に用い、少なくとも前記認証キー取得手段により前記認証キー管理手段からの第１の認証キーの取得が未了である場合には前記記憶手段に記憶された第２の認証キーを前記遊技機との装置間の認証に用いるよう認証キーを取り扱う認証キー取扱手段と、前記認証キー取扱手段により認証に用いる対象となった認証キーを用いて前記遊技機の動作を管理するべく前記遊技機に対応して設けられる動作管理手段とを備えたことを特徴とする。
【００１０】
また、本発明は、上記発明において、前記動作管理手段は、認証キーが有効であるか否かを、当該認証キーに関連した所定の情報によって判定し、少なくとも有効であることを条件として前記遊技機が遊技制御を行いうるようにするための処理をすることを特徴とする。
また、本発明は、上記発明において、前記動作管理手段は、所定の条件に基づいて新たな認証キーの取得が必要であることを判定する取得判定手段と、前記取得判定手段が認証キーの取得が必要であることを判定した場合に、認証キーを要求する認証キー要求手段とをさらに備えたことを特徴とする。
【００１１】
また、本発明は、上記発明において、前記認証キー取得手段は、前記遊技機を識別する識別情報及び／又は前記認証キー取扱手段を識別する識別情報に基づいて、対応する認証キーを前記認証キー管理手段から取得することを特徴とする。
【００１３】
また、本発明は、上記発明において、前記認証キー取得手段は、前記遊技機を設置した遊技店の識別情報に対応する認証キーを前記認証キー管理手段から取得することを特徴とする。
【００１４】
また、本発明は、遊技場内に設けられ、少なくとも所定の認証キーによって遊技制御を行ないうるようにした遊技機と、前記遊技機に対応して設置されて前記遊技機の認証を行なう認証装置とを設置した遊技場を管理する遊技場管理装置であって、遊技場外の前記認証に用いる認証キーを管理する認証キー管理サーバから定期的に配信され、遊技機識別情報とは異なる第１の認証キーを取得する認証キー取得手段と、少なくとも第２の認証キーを記憶する記憶手段と、前記認証キー取得手段により前記認証キー管理サーバから取得された前記遊技機との装置間の認証に用いる第１の認証キーを前記認証装置に配信し、少なくとも前記認証キー取得手段により前記認証キー管理サーバからの第１の認証キーの取得が未了である場合には前記記憶手段に記憶された第２の認証キーを前記認証装置に配信する認証キー配信手段とを備えたことを特徴とする。
【００１５】
また、本発明は、遊技場内に設けられ、少なくとも所定の認証キーによって遊技制御を行ないうるようにした遊技機と、該遊技機に通信可能に併設された台間装置とを有し、前記遊技機を管理する遊技機管理方法であって、前記台間装置が、遊技場外の認証に用いる認証キーを管理する認証キー管理手段から定期的に配信され、遊技機識別情報とは異なる第１の認証キーを取得する認証キー取得工程と、少なくとも第２の認証キーを記憶部に格納する格納工程と、前記認証キー取得工程により前記認証キー管理手段から取得された第１の認証キーを前記遊技機との装置間の認証に用い、少なくとも前記認証キー取得工程により前記認証キー管理手段からの第１の認証キーの取得が未了である場合には前記記憶部に格納された第２の認証キーを前記遊技機との装置間の認証に用いるよう認証キーを取り扱う認証キー取扱工程と、前記認証キー取扱工程により認証に用いる対象となった認証キーを用いて前記遊技機の動作を管理する動作管理工程とを含むことを特徴とする。
【００１６】
また、本発明は、遊技場内に設けられ、少なくとも所定の認証キーによって遊技制御を行ないうるようにした遊技機と、前記遊技機に対応して設置されて前記遊技機の認証を行なう認証装置とを設置した遊技場を管理する遊技場管理プログラムであって、遊技場外の前記認証キーを管理する認証キー管理サーバから定期的に配信され、遊技機識別情報とは異なる第１の認証キーを取得する認証キー取得手順と、少なくとも第２の認証キーを記憶部に格納する格納手順と、前記認証キー取得手順により前記認証キー管理サーバから取得された前記遊技機との装置間の認証に用いる第１の認証キーを前記認証装置に配信し、少なくとも前記認証キー取得手順により前記認証キー管理サーバからの第１の認証キーの取得が未了である場合には前記記憶部に格納された第２の認証キーを前記認証装置に配信する認証キー配信手順とをコンピュータに実行させることを特徴とする。
【発明の効果】
【００１７】
本発明によれば、遊技場外の前記認証キーを管理する認証キー管理手段から定期的に配信され、遊技機識別情報とは異なる第１の認証キーを取得し、少なくとも第２の認証キーを記憶手段に記憶し、認証キー管理手段から取得された第１の認証キーを前記遊技機との装置間の認証に用い、少なくとも認証キー管理手段からの第１の認証キーの取得が未了である場合には記憶手段に記憶した第２の認証キーを前記遊技機との装置間の認証に用いるよう認証キーを取り扱い、認証に用いる対象となった認証キーを用いて遊技機の動作を管理するよう構成したので、認証キーの取得が未了である場合であっても遊技機を動作可能とすることができる。
【図面の簡単な説明】
【００１８】
【図１】図１は、実施例に係る遊技機管理システムの概念を説明するための説明図である。
【図２】図２は、実施例に係る遊技機管理システムのシステム構成を示すシステム構成図である。
【図３】図３に示した台間カード処理機及び封入式遊技機の外観構成について説明する。
【図４】図４は、図３に示した台間カード処理機及び封入式遊技機の外観構成を示す図である。
【図５】図５は、図３に示した台間カード処理機及び封入式遊技機の内部構成を示すブロック図である。
【図６】図６は、図３に示したカード管理装置の内部構成を示すブロック図である。
【図７】図７は、記憶部が記憶するデータを説明するための説明図である。
【図８】図８は、台間カード処理機が管理基板ＩＤ及び遊技機ＩＤをカード管理装置に通知する際の処理手順を示すフローチャートである。
【図９】図９は、カード管理装置が認証キーの管理を行なう場合の処理手順を示すフローチャートである。
【図１０】図１０は、認証キーにかかる各装置の動作を説明するための説明図である。
【図１１】図１１は、認証キーの配信タイミングと各装置の動作を説明するための説明図である。
【図１２】図１２は、封入式遊技機の扉の開閉管理を説明するための説明図である。
【図１３】図１３は、通信異常の発生箇所を説明するための説明図である。
【図１４】図１４は、通信経路Ｃ１がオフラインとなった場合の説明図である。
【図１５】図１５は、通信経路Ｃ２がオフラインとなった場合の説明図である。
【図１６】図１６は、通信経路Ｃ３がオフラインとなった場合の説明図である。
【図１７】図１７は、通信経路Ｃ４がオフラインとなった場合の説明図である。
【図１８】図１８は、台間カード処理機が持玉を全て管理する構成を説明するための説明図である。
【図１９】図１９は、台間カード処理機が管理する持玉を適宜封入式遊技機に渡す構成を説明するための説明図である。
【図２０】図２０は、封入式遊技機が全ての持玉を管理する構成を説明するための説明図である。
【図２１】図２１は、混在環境における持玉の管理を説明するための説明図である。
【発明を実施するための形態】
【００１９】
以下に、添付図面を参照して、本発明に係る遊技機管理システム、遊技場管理装置、遊技機管理方法及び遊技場管理プログラムの好適な実施例を詳細に説明する。
【００２０】
なお、本明細書中にあって持玉とは、遊技客が遊技において獲得した遊技媒体または当該遊技媒体数を示すデータであって、その当日中（閉店より前の時間）のみ遊技に再度供することができるものを言う。貯玉とは、遊技客が遊技において獲得した遊技媒体また当該遊技媒体数を示すデータであって、翌日以降（閉店より後の時間）も遊技に再度供することができるものを言う。持玉は、一般遊技客および会員遊技客の双方が使用可能であり、遊技機を移動した場合などに使用する。貯玉は通常、会員遊技客のみが使用可能であり、獲得した遊技媒体を翌日以降の遊技に用いる場合に使用する。貯玉の使用には所定の手数料が課される（手数料は遊技媒体数を減算することで徴収される）ことが通常であるが、時間帯や会員種別によって徴収しないこととしても良い。
【実施例】
【００２１】
まず、本実施例に係る遊技機管理システムの概念について説明する。図１は、本実施例に係る遊技機管理システムの概念を説明するための説明図である。
【００２２】
図１に示すように、封入式遊技機２０には、台間カード処理機１０が併設されている。台間カード処理機１０は、遊技機管理基板１０ｃを有する。遊技機管理基板１０ｃは、認証キーを用いて封入式遊技機２０の認証を行い、認証が適正に行なわれた場合に封入式遊技機２０による遊技を可能とする。この認証は、開店処理毎など、定期的に実行する。
【００２３】
台間カード処理機１０が認証に用いる認証キーは、カード管理装置４０から配信される。カード管理装置４０は、遊技店内に設けられた装置であり、遊技店外部の認証キー管理センタ１２０から取得した認証キーを店内の各台間カード処理機１０に配信する。
【００２４】
カード管理装置４０は、認証キー管理センタ１２０から認証キーを取得する際に、予備の認証キーを含む複数の認証キーを取得し、記憶部４５に格納する。このように、予備の認証キーを記憶しておくことで、カード管理装置４０は、認証キー管理センタ１２０との通信に障害が発生し、新規の認証キーを取得できない場合には、予備の認証キーを台間カード処理機１０に送信し、認証処理を行なわせることができる。
【００２５】
次に、本実施例に係る遊技機管理システムのシステム構成について説明する。図２は、本実施例に係る遊技機管理システムのシステム構成を示すシステム構成図である。図２に示すように、カード管理装置４０、台間カード処理機１０及び封入式遊技機２０は遊技店内に設置される。カード管理装置４０は、ネットワークを介してカード管理センタ１１０と接続する。カード管理センタ１１０は、認証キー管理センタ１２０とネットワークを介して接続し、認証キー管理センタ１２０はネットワークを介して機種管理センタ１３０と接続する。
【００２６】
カード管理装置４０は、装置管理データ、認証結果データ及び稼働管理データをカード管理センタ１１０に送信する。装置管理データは、遊技店に設置された封入式遊技機２０を識別する識別情報である遊技機ＩＤと、遊技店に設置された台間カード処理機１０に内蔵された遊技機管理基板１０ｃを識別する識別情報である管理基板ＩＤとを含む。
【００２７】
認証結果データは、遊技機管理基板１０ｃによる封入式遊技機２０の認証結果を示すデータである。認証結果は、認証が失敗した場合にのみ送信することとしてもよいし、認証が成功した場合にも送信するようしてもよい。
【００２８】
稼働管理データは、遊技店の売上げや封入式遊技機２０の稼働状態を示すデータである。封入式遊技機２０の稼働状態には、賞出玉数、打込玉数及び貸玉数などのデータを含むことができる。
【００２９】
カード管理センタ１１０は、稼働管理データにより、遊技店の売上げや各遊技機の稼働状態を管理することができる。また、カード管理センタ１１０は、認証キー管理センタ１２０に対し、装置管理データと認証結果データを送信する。
【００３０】
機種管理センタ１３０は、出荷した封入式遊技機の遊技機ＩＤと、出荷した遊技機管理基板の管理基板ＩＤとを認証キー管理センタ１２０に送信する。認証キー管理センタ１２０は、出荷した封入式遊技機の遊技機ＩＤ並びに出荷した遊技機管理基板の管理基板ＩＤと、カード管理センタ１１０から受信した装置管理データに含まれる遊技機ＩＤ及び管理基板ＩＤとを照合することで、カード管理センタ１１０から受信した装置管理データに含まれる遊技機ＩＤ及び管理基板ＩＤが正規のＩＤであるか否かを判定する。
【００３１】
また、認証キー管理センタ１２０は、カード管理センタ１１０から受信した機種管理データに基づいて、対応する認証キーをカード管理センタ１１０経由でカード管理装置４０に送信する。
【００３２】
次に、図２に示した遊技店のシステム構成について説明する。図３は、遊技店のシステム構成を示す図である。同図に示すように、遊技店のシステムは、複数の封入式遊技機２０と、各封入式遊技機２０にそれぞれ対応して設けられた台間カード処理機１０が設置される。台間カード処理機１０は、島コントローラ３０を介して通信回線９０と接続する。通信回線９０には、島コントローラ３０と、カード管理装置４０と、会員管理装置５０と、景品管理装置７０と、精算機８０と接続される。
【００３３】
封入式遊技機２０は、装置内部に封入された遊技玉を遊技盤面に打ち込んで遊技を行う装置である。この封入式遊技機２０は、台間カード処理機１０が玉貸し処理を行った場合に持玉数を加算し、持玉が存在する範囲で、遊技盤面に遊技玉を打ち込むことができる。当該遊技盤面には、複数の入賞領域（入賞口）が設けられており、当該入賞領域を遊技玉が通過したことに基づいて所定個数の遊技玉を賞玉として付与するようになっている。また、遊技領域には、所定個数の始動領域（始動口）が設けられており、当該始動領域を遊技玉が通過したことに基づいて所定の抽選を行うこととなっている。当該抽選が大当りとなれば、所定の可動部材等の作動により、前述の入賞領域あるいは他の始動領域への遊技玉の通過確率を向上する等、遊技上有利となる作動が行われる。なお、始動領域と入賞領域を兼ねた領域があってもよい。
【００３４】
上記入賞領域には、当該入賞領域への遊技玉の通過を検出するために入賞センサが設けられており、入賞センサにより入賞領域へ打ち込まれた遊技玉の通過（入賞）を検知するようになっている。また、遊技機の制御装置は、入賞領域ごとに何個の遊技玉を賞玉として付与するかを記憶する賞玉メモリを有している。
【００３５】
したがって、打ち込んだ遊技玉の特定の入賞領域への通過が入賞センサにより検知されると、賞玉メモリの記憶内容と、入賞領域を通過した遊技玉数から付与すべき賞玉数を決定し、決定した賞玉数を持玉数に加算する。
【００３６】
また、封入式遊技機２０は、台間カード処理機１０から持玉返却指示を受信した場合には、自装置で管理していた持玉数を台間カード処理機１０に通知して、持玉数を「０」にクリアする。
【００３７】
台間カード処理機１０は、プリペイド価値の管理、遊技玉の貸し出し、カード返却処理、封入式遊技機２０の認証及び稼働状態の管理、カード管理装置４０及び会員管理装置５０との通信を行う。台間カード処理機１０は、遊技客が投入した紙幣を受け付けたならば、この紙幣分のプリペイド価値を記憶するととともに、所定の玉貸し操作がなされたならば、所定数のプリペイド価値を減算しつつ、減算したプリペイド価値分に対応する持玉数を封入式遊技機２０に加算させる。
【００３８】
また、台間カード処理機１０は、カードを受け付けたならば、該カードに関連付けられたプリペイド価値、持玉数及び貯玉数を記憶する。台間カード処理機１０は、持玉再プレイ操作を受け付けると、自装置が管理する持玉数を所定数減算し、減算した持玉数を封入式遊技機２０に送信する。すなわち、持玉再プレイを受け付ける度に、台間カード処理機１０が管理していた持玉数が所定数ずつ封入式遊技機２０の管理下に移されることとなる。
【００３９】
また、台間カード処理機１０は、貯玉再プレイ操作を受け付けると、自装置が管理する貯玉数を所定数減算し、減算した貯玉数に対応する持玉数を封入式遊技機２０に送信する。すなわち、貯玉再プレイを受け付ける度に、台間カード処理機１０が管理していた貯玉数が所定数ずつ持玉数に変換され、封入式遊技機２０の管理下に移されることとなる。
【００４０】
台間カード処理機１０は、所定の遊技終了操作を受け付けたならば、封入式遊技機２０に対して持玉返却指示を送信して封入式遊技機２０が管理する持玉数の通知を受け、台間カード処理機１０が管理していた持玉数に加算する。そして、カード返却操作を受け付けたならば、自装置が管理するプリペイド価値、持玉数及び貯玉数をカードに関連付けて排出する処理を行う。なお、遊技終了操作を受け付けた場合に、カードの排出までを連動して行うこととしてもよい。
【００４１】
島コントローラ３０は、遊技島に設けられた一群の封入式遊技機２０及び台間カード処理機１０を束ねる中継装置である。カード管理装置４０は、カードのプリペイド価値及び持玉数等をカードデータとして管理する管理装置である。
【００４２】
カード管理装置４０は、台間カード処理機１０からカードＩＤ及び持玉数を受信したならばカードデータを更新し、台間カード処理機１０からカードＩＤを受信したならば、該カードＩＤに関連付けられた持玉数を台間カード処理機１０に通知する。また、カード管理装置４０は、景品管理装置７０からカードＩＤを受信したならば、このカードＩＤに関連付けられた持玉数を景品管理装置７０に対して通知する。さらに、精算機８０からカードＩＤを受信したならば、このカードＩＤに関連付けられたプリペイド価値を精算機８０に対して通知する。
【００４３】
さらに、カード管理装置４０は、上述したように、カード管理センタ１１０からの認証キーの取得と、台間カード処理機１０への認証キーの配信とを行なう。また、カード管理装置４０は、店内の装置の管理、認証結果の管理、稼働状態の管理を行い、カード管理センタ１１０への装置管理データ、認証結果データ及び稼働管理データを送信する。
【００４４】
会員管理装置５０は、遊技店に会員登録された会員の会員データを管理する管理装置である。具体的には、会員に対して発行した会員カードＩＤに関連づけて、貯玉数、ポイント、暗証番号及び氏名等を管理する。
【００４５】
会員管理装置５０は、台間カード処理機１０から会員カードＩＤを受信したならば、該会員カードＩＤに対応する貯玉数を台間カード処理機１０に通知する。また、会員管理装置５０は、景品管理装置７０から会員カードＩＤを受信したならば、この会員カードＩＤに関連付けられた貯玉数を景品管理装置７０に対して通知する。また、会員管理装置５０は、景品管理装置７０から会員カードＩＤ及び貯玉数を受信したならば、この会員カードＩＤに対応する貯玉数を景品管理装置７０に対して通知する。
【００４６】
精算機８０は、プリペイド価値が対応付けられたカードが挿入されると、このカードのカードＩＤをカード管理装置４０に送信し、該カードに関連付けられたプリペイド価値を取得し、取得したプリペイド価値に相当する現金の払出を行う。
【００４７】
景品管理装置７０は、遊技店内の景品交換カウンタに併設された景品交換用の端末装置であり貯玉及び持玉の景品交換処理を行う。この景品管理装置７０には、カードのカードＩＤを読み取るリーダライタ及び景品を払い出す景品払出装置が接続されている。景品管理装置７０は、リーダライタが一般カード又は会員カードを受け付けた場合には、リーダライタで読み出したカードのカードＩＤをカード管理装置４０に送信して、該カードの持玉数を要求する。また、貯玉を景品交換する場合は、会員管理装置５０に対して貯玉数を要求する。
【００４８】
次に、図３に示した台間カード処理機１０及び封入式遊技機２０の外観構成について説明する。図４は、図３に示した台間カード処理機１０及び封入式遊技機２０の外観構成を示す図である。同図には紙幣のみを受け付ける台間カード処理機１０を図示したが、硬貨受け付け用のユニットを設けることもできる。
【００４９】
図４に示すように、台間カード処理機１０は、台間カード処理機１０の装置の状態を所定色のランプの点灯あるいは点滅で表示する状態表示部１１と、遊技玉を貸し出す際の各種紙幣を受け付ける紙幣挿入口１２とを有する。また、台間カード処理機１０は、ディスプレイなどの表示部並びにテンキーや各種ボタンを含む操作部からなる表示操作部１３と、カードＩＤ、プリペイド価値、貯玉データ及び持玉データが記憶されたカードを受け付けるカード挿入口１４とが設けられている。
【００５０】
また、封入式遊技機２０には、封入された遊技玉を遊技領域に打ち込む際に使用するハンドル２１と、プリペイド価値の残数を表示するプリペイド価値表示部１５と、持玉数を表示する持玉数表示部１６とが設けられている。その詳細な説明は後述するが、このプリペイド価値表示部１５は、封入式遊技機２０の前面に設けられているものの、台間カード処理機１０の制御部に直結されている。
【００５１】
次に、図３に示した台間カード処理機１０及び封入式遊技機２０の内部構成について説明する。図５は、図３に示した台間カード処理機１０及び封入式遊技機２０の内部構成を示すブロック図である。図５に示すように、台間カード処理機１０は、紙幣搬送部１２ａと、表示操作部１３と、リーダライタ１４ａと、通信部１０ａと、記憶部１０ｂと、制御部１０ｄとを有する。
【００５２】
紙幣搬送部１２ａは、紙幣挿入口１２から挿入された紙幣の金種及び真偽を判別しつつ図示しない紙幣収納部に搬送する搬送部である。リーダライタ１４ａは、カード挿入口１４に挿入されたカードに記憶されたカードＩＤを読み取る読取部である。なお、カード挿入口１４に挿入されたカードは、このリーダライタ１４ａを経て図示しないカード収納部に収納される。通信部１０ａは、通信回線９０や店員が携行する店員携帯端末との間のデータ通信を行うためのインタフェース部である。
【００５３】
記憶部１０ｂは、ハードディスク装置や不揮発性メモリ等からなる記憶デバイスであり、台間カード処理機ＩＤ１０ｂ１、遊技機ＩＤ１０ｂ２、管理基板ＩＤ１０ｂ３、認証キー１０ｂ４及びカードデータ１０ｂ５を記憶する。
【００５４】
台間カード処理機ＩＤ１０ｂ１は、台間カード処理機１０の識別情報である。遊技機ＩＤ１０ｂ２は、台間カード処理機１０に接続された封入式遊技機２０から取得した封入式遊技機２０の識別情報である。管理基板ＩＤ１０ｂ３は、台間カード処理機１０に内蔵された遊技機管理基板１０ｃから取得した遊技機管理基板１０ｃの識別情報である。
【００５５】
認証キー１０ｂ４は、カード管理装置４０から配信された認証キーである。カードデータ１０ｂ５は、カード挿入口１４に挿入されたカードに関するデータである。カードデータ１０ｂ５には、カードＩＤ、プリペイド価値、持玉、貯玉の情報が含まれる。
【００５６】
カードＩＤは、リーダライタ１４ａで読み取られたカードＩＤである。図示しないカード収納部からカード挿入口１４にカードが搬送され、該カードが排出される場合には、この搬送途中でリーダライタ１４ａにより読み取られたカードＩＤによりカードＩＤが更新される。また、カード挿入口１４から図示しないカード収納部にカードが搬送される場合にも、この搬送途中でリーダライタ１４ａにより読み取られたカードＩＤによりカードＩＤが更新される。
【００５７】
プリペイド価値は、遊技客の現時点のプリペイド価値の残数であり、紙幣又はカードの投入により加算され、持玉への移行により減算される。持玉は、台間カード処理機１０が管理する持玉数を示すデータであり、貯玉は、台間カード処理機１０が管理する貯玉数を示すデータである。
【００５８】
遊技機管理基板１０ｃは、台間カード処理機１０に内蔵された基板であり、認証処理部１０ｃ１、起動管理部１０ｃ２及び管理基板ＩＤ記憶部１０ｃ３を有する。認証処理部１０ｃ１は、記憶部１０ｂに格納された認証キー１０ｂ４を用いて、封入式遊技機２０の認証を行なう処理部である。認証の結果は、制御部１０ｄに出力する。
【００５９】
認証処理部１０ｃ１は、認証キーの有効性を確認して、認証キー１０ｂ４が有効であることを条件に認証を開始する。具体的には、認証処理部１０ｃ１に日時を管理するタイマを設け、認証キー管理センタが認証キーを生成する際に設定した有効期限内であるか否かを確認する。また、不正が発生した場合にそれまでに使用されていた認証キーを無効化して、新しい認証キーの発行を認証キー管理センタに要求してもよい。
【００６０】
認証処理部１０ｃ１は、認証キー１０ｂ４が有効であるならば、封入式遊技機２０に対して認証キー１０ｂ４とともに応答要求を送信する。認証処理部１０c１は、封入式遊技機２０からの応答が認証キー１０ｂ４と整合しているかを確認し、整合していなければエラー処理を行なう。
【００６１】
また、認証処理部１０ｃ１は、封入式遊技機２０からの応答を受けて、さらに応答データを封入式遊技機に送信する。封入式遊技機２０は、認証処理部１０ｃ１からの応答データが自装置から送信した応答と整合しているかを確認し、確認結果を認証処理部１０ｃ１に送信する。認証処理部１０ｃ１は、確認結果、即ち認証の成否を起動管理部１０ｃ２に出力する。
【００６２】
なお、ここでは認証処理部１０ｃ１から、即ち台間カード処理機１０から認証を開始する場合について説明したが、封入式遊技機２０が認証の開始を台間カード処理機１０に要求するよう構成してもよい。
【００６３】
起動管理部１０ｃ２は、認証処理部１０ｃ１による認証が成功し、封入式遊技機２０が正規の封入式遊技機であると確認できたことを条件に、封入式遊技機２０を起動制御する処理部である。認証に失敗した場合には、封入式遊技機２０の起動は禁止され、遊技が行えない状態となる。
【００６４】
管理基板ＩＤ記憶部１０ｃ３は、遊技機管理基板１０ｃの識別情報である管理基板ＩＤを記憶する記憶部である。この管理基板ＩＤは、製造時に決定され、変更されることはない。
【００６５】
また、遊技機管理基板１０ｃは、台間カード処理機１０と封入式遊技機２０との通信を行なう。具体的には、封入式遊技機２０からの遊技機ＩＤの取得、台間カード処理機１０から封入式遊技機２０への持玉の移行、封入式遊技機２０から台間カード処理機１０への持玉の返却、封入式遊技機２０における打込玉数や賞出玉数等の遊技結果の受信を行なう。
【００６６】
制御部１０ｄは、台間カード処理機１０を全体制御する制御部であり、認証キー取得部１０ｄ１、玉貸処理部１０ｄ２及び解錠処理部１０ｄ３を有する。認証キー取得部１０ｄ１は、カード管理装置４０から配信された認証キー１０ｂ４を記憶部１０ｂに格納し、遊技機管理基板１０ｃに認証処理を行なわせる処理部である。また、認証キー取得部１０ｄ１は、遊技機管理基板１０ｃによる認証の結果をカード管理装置４０に送信する。
【００６７】
玉貸処理部１０ｄ２は、図示しないデータ管理部、紙幣処理部及びカード処理部を有する。データ管理部は、記憶部１０ｂに記憶したカードデータ１０ｂ５を管理する。データ管理部は、紙幣挿入口１２に紙幣が挿入されると、この紙幣分に相当するプリペイド価値をカードデータ１０ｂ５のプリペイド価値に加算する。
【００６８】
同様に、データ管理部は、カード挿入口１４にカードが挿入されると、このカードに関連付けられたプリペイド価値をカードデータ１０ｂ５のプリペイド価値に加算する。また、カードＩＤをカード管理装置４０に送信し、該カードＩＤに対応する持玉数をカード管理装置４０から受け取って、カードデータ１０ｂ５の持玉とする。同様に、カードＩＤを会員管理装置５０に送信し、該カードＩＤに対応する貯玉数を会員管理装置５０から受け取って、カードデータ１０ｂ５の貯玉とする。
【００６９】
データ管理部は、封入式遊技機２０の玉貸しボタンが押下操作されると、カードデータ１０ｂ５のプリペイド価値を所定数（例えば、１０度数）減算し、対応する数の持玉を追加するよう封入式遊技機２０に通知する。
【００７０】
また、データ管理部は、持玉再プレイ操作を受け付けると、カードデータ１０ｂ５の持玉を所定数減算し、減算した持玉数を封入式遊技機２０に送信する。同様に、データ管理部は、貯玉再プレイ操作を受け付けると、カードデータ１０ｂ５の貯玉を所定数減算し、減算した貯玉数に対応する持玉を封入式遊技機２０に送信する。
【００７１】
また、カード返却ボタンが押下操作されたならば、データ管理部は、封入式遊技機２０が記憶する持玉を取得し、該持玉をカードデータ１０ｂ５の持玉に加算する。そして、カードデータ１０ｂ５のカードＩＤ及び持玉をカード管理装置４０に送信してカードデータ更新依頼を行うとともに、カードデータ１０ｂ５のカードＩＤ及び貯玉データを会員管理装置５０に送信して会員データ更新依頼を行う。
【００７２】
紙幣処理部は、紙幣挿入口１２から受け付けた紙幣を搬送制御しつつ該紙幣の金種識別及び真偽識別を行った後に、該紙幣を図示しない紙幣収納部に収納する処理部である。紙幣処理部は、受け付けた紙幣が真正な紙幣であると識別した場合には、金種に対応する価値をデータ管理部に通知し、プリペイド価値の加算を行わせる。
【００７３】
カード処理部は、カード挿入口１４からカードを受け付けたならば、リーダライタ１４ａによりカードＩＤを読み取らせる。読み取ったカードＩＤは、カードデータ１０ｂ５のカードＩＤとなる。そして、カードＩＤに関連付けられたプリペイド価値をカードデータ１０ｂ５のプリペイド価値に加算する。また、カード処理部は、カード返却ボタンが押下操作され、データ管理部によりカード管理装置４０のカードデータ並びに会員管理装置５０の会員データが更新された後に、カードデータ１０ｂ５のプリペイド価値をカードに関連付けてカード挿入口１４から排出する。
【００７４】
解錠処理部１０ｄ３は、店員携帯端末からの指示に基づいて、封入式遊技機２０の扉を解錠し、扉の開閉が可能な状態とする処理部である。この封入式遊技機２０の扉の解錠指示は、遊技機管理基板１０ｃを介して送信される。
【００７５】
封入式遊技機２０は、扉開閉機構２２、記憶部２３及び制御部２４を有する。扉開閉機構２２は、封入式遊技機２０の扉を開閉する機構であり、台間カード処理機１０からの解錠指示に基づいて解錠可能である。
【００７６】
記憶部２３は、ハードディスク装置や不揮発性メモリ等からなる記憶デバイスである。記憶部２３は、遊技機ＩＤ２３ａ、機種データ２３ｂ、遊技結果データ２３ｃ及び持玉データ２３ｄを記憶する。
【００７７】
遊技機ＩＤ２３ａは、封入式遊技機２０の識別情報である。遊技機ＩＤ２３ａは、製造時に決定され、変更されることはない。機種データ２３ｂは、封入式遊技機２０の機種を示すデータである。また、封入式遊技機２０の遊技の傾向等、任意の指標により封入式遊技機２０を分類した分類情報を機種データ２３ｂに含めてもよい。遊技結果データ２３ｃは、封入式遊技機２０による遊技処理の結果を示すデータである。この遊技結果データ２３ｃには、打込玉数及び賞出玉数などが含まれる。持玉データ２３ｄは、封入式遊技機２０が管理する現時点での持玉数を示すデータである。
【００７８】
制御部２４は、封入式遊技機２０を全体制御する制御部である。制御部２４は、台間カード処理機１０への遊技機ＩＤ及び機種データの送信、遊技制御、持玉数の管理を行なう。遊技制御は、遊技機管理基板１０ｃによる認証が成功した場合に可能となる。制御部２４は、遊技制御の結果を遊技結果データ２３ｃとして記憶し、台間カード処理機１０に送信する。また、台間カード処理機１０から通知された持玉数を持玉データ２３ｄに加算し、遊技制御により生じた持玉の増減を持玉データ２３ｄに反映する。カード返却指示を受け付けた場合には、制御部２４は、持玉データ２３ｄが示す持玉数を台間カード処理機１０に送信し、持玉データ２３ｄを「０」にクリアする。
【００７９】
次に、図３に示したカード管理装置４０の内部構成について説明する。図６は、図３に示したカード管理装置４０の内部構成を示すブロック図である。図６に示すように、カード管理装置４０は、表示部４１及び入力部４２と接続され、外部ネットワーク通信部４３、店舗ネットワーク通信部４４、記憶部４５及び制御部４６を有する。
【００８０】
表示部４１は、液晶パネルやディスプレイ装置等である。入力部４２は、キーボードやマウス等である。外部ネットワーク通信部４３は、カード管理センタ１１０と通信するためのインタフェース部である。店舗ネットワーク通信部４４は、通信回線９０を介して島コントローラ３０、精算機８０、景品管理装置７０及び会員管理装置５０等とデータ通信するためのインタフェース部である。
【００８１】
記憶部４５は、ハードディスク装置や不揮発性メモリ等の記憶デバイスであり、店舗ＩＤ４５ａ、カード管理データ４５ｂ、装置管理データ４５ｃ、稼働管理データ４５ｄ及び認証キー４５ｆを記憶する。
【００８２】
店舗ＩＤ４５ａは、遊技店を識別する識別情報である。カード管理データ４５ｂは、カードＩＤにプリペイド価値の残高と持玉数とを対応付けたデータである。装置管理データ４５ｃは、遊技店に設置された装置に関するデータである。この装置管理データ４５ｃは、台間カード処理機ＩＤ、台間カード処理機１０のアドレス、管理基板ＩＤ、遊技機ＩＤ、封入式遊技機２０の機種や分類のデータを含む。
【００８３】
稼働管理データ４５ｄは、各遊技台の稼働状況を管理するデータであり、日付、遊技機ＩＤ、打込玉数、賞出玉数及び貸玉数を対応付けたデータである。認証キー４５ｆは、カード管理センタ１１０を介して受信され、記憶される。
【００８４】
制御部４６は、カード管理装置４０を全体制御する制御部であり、カード管理部４６ａ、装置管理部４６ｂ、稼働管理部４６ｃ、認証キー管理部４６ｄを有する。実際には、これらの機能部に対応するプログラムを図示しないＲＯＭや不揮発性メモリに記憶しておき、これらのプログラムをＣＰＵ（Central Processing Unit）にロードして実行することにより、カード管理部４６ａ、装置管理部４６ｂ、稼働管理部４６ｃ、認証キー管理部４６ｄにそれぞれ対応するプロセスを実行させることになる。
【００８５】
カード管理部４６ａは、カード管理データ４５ｂの管理を行う処理部である。カード管理部４６ａは、台間カード処理機１０、精算機８０及び景品管理装置７０と通信して、カードＩＤに対応付けられたプリペイド価値及び持玉数を更新する。
【００８６】
装置管理部４６ｂは、装置管理データ４５ｃの管理を行なう処理部である。装置管理部４６ｂは、台間カード処理機１０から取得した台間カード処理機ＩＤ、台間カード処理機１０のアドレス、管理基板ＩＤ、遊技機ＩＤ及び封入式遊技機２０の機種に基づいて、装置管理データ４５ｃを生成及び更新する。また、装置管理部４６ｂは、装置管理データ４５ｃを定期的にカード管理センタ１１０に送信する。
【００８７】
稼働管理部４６ｃは、稼働管理データ４５ｄの管理を行なう処理部である。稼働管理部４６ｃは、台間カード処理機１０から取得した遊技結果データに基づいて、稼働管理データ４５ｄを生成及び更新する。稼働管理部４６ｃは、稼働管理データ４５ｄを定期的にカード管理センタ１１０に送信する。
【００８８】
認証キー管理部４６ｄは、カード管理センタ１１０を介して認証キー管理センタ１２０から認証キー４５ｆを取得して、記憶部４５に格納する。認証キー管理部４６ｄは、認証キー管理センタ１２０と最初に接続した際には、予備の認証キーを含む複数の認証キー４５ｆを取得して記憶部４５に格納する。予備の認証キーが記憶部４５に記憶されている場合には、認証キー管理部４６ｄは、新しい認証キーのみを取得する。また、予備の認証キーを使用した場合には、認証キー管理部４６ｄは、予備の認証キーを再び認証キー管理センタ１２０から取得し、記憶部４５に格納する。
【００８９】
認証キー管理センタ１２０からの認証キー４５ｆの取得が成功した場合には、取得した認証キー４５ｆを台間カード処理機１０に配信する。一方、認証キー管理センタ１２０からの認証キー４５ｆの取得が失敗した場合には、認証キー管理部４６ｄは、以前に取得して記憶部４５に格納した予備の認証キー４５ｆを台間カード処理機１０に配信する。
【００９０】
認証キー管理部４６ｄは、認証キーの取得及び配信に際し、必要に応じて店舗ＩＤ４５ａ及び装置管理データ４５ｃを使用する。具体的には、認証キーが店舗毎に異なる場合には、店舗ＩＤ４５ａを認証キー管理センタ１２０に送信して対応する認証キーを取得する。また、認証キーが管理基板ＩＤ毎、遊技機ＩＤ毎、機種毎又は分類毎に異なる場合には、装置管理データ４５ｃから認証キーの特定に必要な情報を認証キー管理センタ１２０に送信して対応する認証キーを取得する。そして、認証キーが管理基板ＩＤ毎、遊技機ＩＤ毎、機種毎又は分類毎に異なる場合には、装置管理データ４５ｃに基づいて各台間カード処理機１０に送信すべき認証キーを判定して配信することとなる。
【００９１】
次に、図６に示した記憶部４５が記憶するデータの具体例について説明する。図７は、記憶部４５が記憶するデータを説明するための説明図である。図７に示すカード管理データ４５ｂは、カードＩＤ「１００１」にプリペイド価値「２５００」及び持玉「３０００」が対応付けられた状態を示している。
【００９２】
図７に示す装置管理データ４５ｃは、台間カード処理機ＩＤ「３００１」のネットワーク上のアドレスが「１９２．１６８．２．１」、内蔵された遊技機管理基板１０ｃの管理基板ＩＤが「４０１０」、接続された封入式遊技機２０の遊技機ＩＤが「５００９」、接続された封入式遊技機２０の機種が「ＥＶ０１」であることを示している。
【００９３】
図７に示す稼働管理データ４５ｄは、日付「２０１２０４０１」において、遊技機ＩＤ「５００１」の封入式遊技機２０の打込玉数が「１２３０００」、賞出玉数が「２３４０００」、貸玉数が「１１１０００」であることを示している。
【００９４】
次に、台間カード処理機１０が管理基板ＩＤ及び遊技機ＩＤをカード管理装置４０に通知する際の処理手順について説明する。図８は、台間カード処理機１０が管理基板ＩＤ及び遊技機ＩＤをカード管理装置４０に通知する際の処理手順を示すフローチャートである。
【００９５】
図８に示すように、台間カード処理機１０の認証キー取得部１０ｄ１は、遊技機管理基板１０ｃから管理基板ＩＤを取得し（ステップＳ１０１）、記憶部１０ｂに記憶した管理基板１０ｂ３と照合して、管理基板ＩＤが変更されたか否か、即ち遊技機管理基板１０ｃが交換されたか否かを判定する（ステップＳ１０２）。
【００９６】
管理基板ＩＤが変更されている場合には（ステップＳ１０２；Ｙｅｓ）、管理基板ＩＤ１０ｂ３を更新したうえで、認証キー取得部１０ｄ１は、台間カード処理機ＩＤ１０ｂ１及び管理基板ＩＤ１０ｂ３をカード管理装置４０に送信する（ステップＳ１０３）。カード管理装置４０は、受信した台間カード処理機ＩＤ１０ｂ１に対応付けられた管理基板ＩＤを更新する。
【００９７】
台間カード処理機ＩＤ１０ｂ１及び管理基板ＩＤ１０ｂ３をカード管理装置４０に送信した（ステップＳ１０３）後、若しくは管理基板ＩＤに変更がない場合（ステップＳ１０２；Ｎｏ）、認証キー取得部１０ｄ１は、封入式遊技機２０の遊技機ＩＤ２３ａを取得する（ステップＳ１０４）。
【００９８】
認証キー取得部１０ｄ１は、記憶部１０ｂに遊技機ＩＤ１０ｂ２が記憶されていない、すなわち、台間カード処理機１０に対して新規に接続された封入式遊技機２０であるか否かを判定する（ステップＳ１０５）。記憶部１０ｂに遊技機ＩＤ１０ｂ２が記憶されており、新規の遊技機ＩＤでないならば（ステップＳ１０５；Ｎｏ）、認証キー取得部１０ｄ１は、取得した遊技機ＩＤ２３ａと記憶部１０ｂに記憶した遊技機ＩＤ１０ｂ２と照合して、遊技機ＩＤが変更されたか否か、即ち封入式遊技機２０が交換されたか否かを判定する（ステップＳ１０６）。遊技機ＩＤが変更されていなければ（ステップＳ１０６；Ｎｏ）、認証キー取得部１０ｄ１は、処理を終了する。
【００９９】
新規の遊技機ＩＤである場合（ステップＳ１０５；Ｙｅｓ）若しくは遊技機ＩＤが変更されている場合（ステップＳ１０６；Ｙｅｓ）、遊技機ＩＤ１０ｂ２を更新したうえで、封入式遊技機２０の機種データ２３ｂを取得する（ステップＳ１０７）。そして、台間カード処理機ＩＤ１０ｂ１、遊技機ＩＤ１０ｂ２及び機種データ２３ｂをカード管理装置４０に送信し（ステップＳ１０８）、処理を終了する。
【０１００】
次に、カード管理装置４０が認証キーの管理を行なう場合の処理手順について説明する。図９は、カード管理装置４０が認証キーの管理を行なう場合の処理手順を示すフローチャートである。
【０１０１】
図９に示すように、カード管理装置４０の認証キー管理部４６ｄは、認証キー管理センタ１２０と通信可能であるか否かを判定する（ステップＳ２０１）。認証キー管理センタ１２０と通信可能であるならば（ステップＳ２０１；Ｙｅｓ）、認証キー管理部４６ｄは、認証キー４５ｆを認証キー管理センタ１２０から取得し（ステップＳ２０２）、台間カード処理機１０に配信して（ステップＳ２０３）、処理を終了する。
【０１０２】
一方、認証キー管理センタ１２０との通信が不可能であるならば（ステップＳ２０１；Ｎｏ）、認証キー管理部４６ｄは、記憶部４５に記憶された予備の認証キーを読み出して台間カード処理機１０に配信し（ステップＳ２０４）、処理を終了する。
【０１０３】
なお、上述したように、認証キー管理センタ１２０との最初の接続時や、予備の認証キーの使用後など、記憶部４５に予備の認証キーが記憶されていない場合には、ステップＳ２０２において複数の認証キーを記憶し、その一部を予備の認証キーとして記憶部４５に記憶する。
【０１０４】
次に、認証キーにかかる各装置の動作について説明する。図１０は、認証キーにかかる各装置の動作を説明するための説明図である。まず、認証キーの生成に必要な管理基板ＩＤ通知（１）について説明する。
【０１０５】
既に説明したように、台間カード処理機１０と遊技機管理基板１０ｃは、管理基板ＩＤを管理している。台間カード処理機１０の初回導入時及び遊技機管理基板１０ｃを含む台間カード処理機が入れ替った場合に、この管理基板ＩＤ通知は実行される。なお、台間カード処理機１０と封入式遊技機２０との間に断線等が発生した後には、改めて管理基板ＩＤ通知を行なう必要はない。
【０１０６】
管理基板ＩＤ通知では、まず、遊技機管理基板１０ｃを内蔵した台間カード処理機１０が、管理基板ＩＤをカード管理装置へ送信する。次に、カード管理装置４０は、全台間カード処理機１０から受信した管理基板ＩＤを店舗ＩＤとヒモ付けてカード管理センタ１１０へ送信する。
【０１０７】
カード管理センタ１１０は、全加盟店のカード管理装置４０から受信したデータを認証キー管理センタ１２０へ送信する。認証キー管理センタ１２０は、全カード管理センタ１１０から受信したデータと遊技機管理基板の出荷時の管理基板ＩＤとを照合する。照合の結果、出荷履歴なしの場合は警告し、カード管理センタ１１０へ通知する。
【０１０８】
次に、認証キーの生成に必要な遊技機ＩＤ通知（２）について説明する。既に説明したように、台間カード処理機１０は、遊技機ＩＤを管理している。遊技機ＩＤは、封入式遊技機２０の接続検知時（遊技機電源ON等）に毎回確認し、初回及び前回までと変更がある場合は遊技機ＩＤの通知を実行する。また、台間カード処理機１０の設置時、カード管理装置４０の設置時、台間カード処理機１０と封入式遊技機２０との間に生じた断線等からの復旧時には、改めて遊技機ＩＤ通知を行なう。
【０１０９】
遊技機ＩＤ通知では、まず、封入式遊技機２０が、台間カード処理機１０の接続時に遊技機ＩＤを台間カード処理機へ送信する。台間カード処理機１０は、封入式遊技機２０から受信した遊技機ＩＤをカード管理装置４０へ送信する。
【０１１０】
カード管理装置４０は、全台間カード処理機から受信した遊技機ＩＤを店舗ＩＤとヒモ付けてカード管理センタ１１０へ送信する。カード管理センタ１１０は、全加盟店のカード管理装置４０から受信したデータを認証キー管理センタ１２０へ送信する。
【０１１１】
認証キー管理センタ１２０は、全カード管理センタ１１０から受信したデータと出荷時の遊技機ＩＤとを照合する。照合の結果、出荷履歴なしの場合は警告し、遊技機メーカーやカード管理センタ１１０へ通知する。
【０１１２】
次に、認証キー配信（３）について説明する。認証キーは、１日１回配信される。この時、本日分の認証キーに加え、必要に応じて予備の認証キーを一括配信する。配信された認証キーは、カード管理装置４０で管理、又は遊技機管理基板１０ｃで管理する。なお、遊技機ＩＤ通知（２）に認証キーが必要な場合は遊技機ＩＤ通知（２）の前に認証キー配信（３）を行なうこととなる。認証キーは、全店で同一であってもよいが、カード会社単位、店舗単位、台単位、機種単位、又は分類単位で異ならせてもよい。また、認証キーに使用期限を設けたり、日毎に異なる認証キーを設けてもよい。
【０１１３】
認証キー配信（３）では、まず、認証キー管理センタ１２０が認証キーを生成し、生成した認証キーを全カード管理センタ１１０へ配信する。カード管理センタ１１０は、認証キー管理センタ１２０から受信した認証キーを全加盟店のカード管理装置４０へ配信する。
【０１１４】
カード管理装置４０は、カード管理センタ１１０から受信した認証キーを全台間カード処理機１０へ配信する。台間カード処理機１０は、カード管理装置４０から受信した認証キーを遊技機管理基板１０ｃへ転送し、封入式遊技機２０の認証を実行する。
【０１１５】
次に、遊技機認証（４）について説明する。台間カード処理機１０に内蔵された遊技機管理基板１０ｃは、カード管理装置４０から受信した認証キーを使用して封入式遊技機２０の認証を実施する。認証が成功したならば、封入式遊技機２０へ動作許可を送信し、認証成功の結果をカード管理装置４０に送信する。
【０１１６】
封入式遊技機２０は、台間カード処理機４０からの動作許可を受信し遊技可能状態となる。また、カード管理装置４０は、認証が成功した台間カード処理機１０から受信した結果をカード管理センタ１１０へ送信する。なお、認証成功の結果については送信を行わないこととしてもよい。
【０１１７】
カード管理センタ１１０は、全加盟店のカード管理装置４０から受信した認証成功の結果を認証キー管理センタ１２０へ送信する。なお、認証成功の結果については送信を行わないこととしてもよい。
【０１１８】
一方、認証が失敗したならば、台間カード処理機１０に内蔵された遊技機管理基板１０ｃは、封入式遊技機２０へ動作禁止を送信し、認証失敗の結果及び認証失敗の理由をカード管理装置４０に送信する。
【０１１９】
封入式遊技機２０は、台間カード処理機４０からの動作禁止を受信し遊技不可能状態を継続する。また、カード管理装置４０は、認証が失敗した台間カード処理機１０から受信した結果及び理由をカード管理センタ１１０へ送信する。カード管理センタ１１０は、全加盟店のカード管理装置４０から受信した認証失敗の結果と理由を認証キー管理センタ１２０へ送信する。
【０１２０】
次に、認証キーの配信タイミングと各装置の動作について説明する。図１１は、認証キーの配信タイミングと各装置の動作を説明するための説明図である。まず、「ＡＭ０:００〜ＡＭ５:００」等、店舗閉店中に認証キーの配信を行なう場合について説明する。
【０１２１】
この場合、認証キー管理センタ１２０は、カード管理センタ１１０へ本日分の認証キーと予備の認証キーを配信することとなる。カード管理センタ１１０は、認証キー管理センタ１２０から認証キー受信し、カード管理装置４０からの要求により認証キーを配信する。
【０１２２】
カード管理装置４０が、当日の開店処理時に認証キーの取得と配信を行なう場合には、カード管理装置４０は、当日開店処理によりカード管理センタ１１０へ認証キーの配信要求を要求して、当日以降の認証キーを受信することとなる。そして、同じく当日の開店処理中で台間カード処理機１０に認証キー配信を配信する。台間カード処理機１０は、当日の開店処理時に当日以降の認証キーを受信し、封入式遊技機の認証を行なう。
【０１２３】
また、カード管理装置４０が、当日の開店処理時に認証キーを取得し、閉店処理時に認証キーの配信を行なう場合には、カード管理装置４０は、当日開店処理によりカード管理センタ１１０へ認証キーの配信要求を要求して、当日以降の認証キーを受信するが、配信は当日の閉店処理中に行なう。台間カード処理機１０は、当日の閉店処理時に認証キーを受信し、封入式遊技機の認証を行なうことで、翌日の遊技が可能になる。
【０１２４】
次に、「ＡＭ５:０１〜ＰＭ１１:５９」等、店舗営業中に認証キーの配信を行なう場合について説明する。この場合、認証キー管理センタ１２０は、カード管理センタ１１０へ翌日分の認証キーと予備の認証キーを配信することとなる。カード管理センタ１１０は、認証キー管理センタ１２０から認証キー受信し、カード管理装置４０からの要求により認証キーを配信する。
【０１２５】
カード管理装置４０が、当日の開店処理時に認証キーを取得し、翌日の開店処理で配信を行なう場合には、カード管理装置４０は、当日開店処理によりカード管理センタ１１０へ認証キーの配信要求を要求して、翌日以降の認証キーを受信することとなる。そして、翌日の開店処理で台間カード処理機１０に認証キー配信を配信する。台間カード処理機１０は、当日の開店処理時に当日以降の認証キーを受信し、封入式遊技機の認証を行なう。
【０１２６】
また、カード管理装置４０が、当日の閉店処理時に認証キーを取得し、翌日の開店処理時に認証キーの配信を行なう場合には、カード管理装置４０は、当日閉店処理によりカード管理センタ１１０へ認証キーの配信要求を要求して、翌日以降の認証キーを受信する。そして、翌日の開店処理で台間カード処理機１０に認証キー配信を配信する。台間カード処理機１０は、当日の開店処理時に翌日以降の認証キーを受信し、封入式遊技機の認証を行なう。
【０１２７】
また、カード管理装置４０が、営業中に認証キーと配信と配信を行なう場合には、カード管理装置４０は、営業中にカード管理センタ１１０へ認証キーの配信要求を要求して、翌日以降の認証キーを受信する。そして、営業中に台間カード処理機１０に認証キー配信を配信する。台間カード処理機１０は、営業中に翌日以降の認証キーを受信し、封入式遊技機の認証を行なう。
【０１２８】
次に、封入式遊技機２０の扉の開閉管理について説明する。図１２は、封入式遊技機２０の扉の開閉管理を説明するための説明図である。まず、台間カード処理機に対して店員携帯端末で遊技機の扉開錠操作を実施する場合について説明する。
【０１２９】
この場合には、台間カード処理機１０から封入式遊技機２０に対して解錠命令が送信される、封入式遊技機２０の扉が解錠される。解錠中は、封入式遊技機２０から台間カード処理機１０へ対して解錠中である旨が送信される。台間カード処理機１０では封入式遊技機２０の扉が解錠中である旨をランプ等で表示すると共に、カード管理装置４０に対してその旨を通知する。封入式遊技機２０の扉が施錠されると台間カード処理機１０の表示等は通常状態に戻る。
【０１３０】
次に、台間カード処理機１０に対して店員携帯端末で封入式遊技機２０の扉の解錠を予約し、封入式遊技機２０の扉をメカキーにて解錠する場合について説明する。この場合には、封入式遊技機２０の扉が解錠されると、封入式遊技機２０から台間カード処理機１０へ解錠が通知される。封入式遊技機２０から扉の解錠が通知された際に、台間カード処理機１０が扉解錠予約中でなければエラー報知する。エラー報知は、ランプの点灯、カード管理装置４０へのログ送信、セキュリティカメラシステムへの警告等により行なう。
【０１３１】
次に、封入式遊技機２０の扉をメカキーにて解錠し、台間カード処理機１０に対して店員携帯端末でクリア操作を行なう場合について説明する。この場合には、封入式遊技機２０の扉が解錠されると、封入式遊技機２０から台間カード処理機１０へ解錠が通知される。封入式遊技機２０から解錠が通知されると、台間カード処理機１０は使用禁止状態となる。その後、封入式遊技機２０の扉が施錠されると、封入式遊技機２０から台間カード処理機１０へ扉の施錠が通知される。施錠通知を受信した台間カード処理機１０に対して店員携帯端末でクリア操作を実行すると、使用禁止状態が解除される。
【０１３２】
次に、通信異常の発生箇所と各装置の動作について説明する。図１３は、通信異常の発生箇所を説明するための説明図である。図１３に示すように認証キーの配信に影響する通信経路は、認証キー管理センタ１２０とカード管理センタ１１０を結ぶ通信経路Ｃ１、カード管理センタ１１０とカード管理装置４０とを結ぶ通信経路Ｃ２、カード管理装置４０と島コントローラ３０とを結ぶ通信経路Ｃ３、島コントローラ３０と台間カード処理機１０とを結ぶ通信経路Ｃ４である。
【０１３３】
この通信経路Ｃ１〜Ｃ４に異常が発生し、オフラインとなった場合の各装置の動作について図１４〜１７を用いて説明する。図１４は、通信経路Ｃ１がオフラインとなった場合の説明図である。
【０１３４】
図１４に示すように、通信経路Ｃ１がオフラインとなったとしても、カード管理センタ１１０、カード管理装置４０、島コントローラ３０、台間カード処理機１０のいずれかまで認証キーが配信済であれば、通常通りの動作を行なうことができる。
【０１３５】
具体的には、カード管理センタ１１０によるカード管理装置４０への認証キー送信、カード管理装置４０から島コントローラ３０への認証キー送信、島コントローラ３０から台間カード処理機１０への認証キー送信、台間カード処理機１０による認証処理のうち、未実施の処理を順次実行することとなる。
【０１３６】
しかしながら、通信経路Ｃ１がオフラインとなった時点で認証キー管理センタ１２０からカード管理センタ１１０に認証キーが配信されておらず、当日分の認証キーが無い場合には、図１４に網掛で示すように、通信経路Ｃ１の復旧後に各処理を行なうこととなる。
【０１３７】
図１５は、通信経路Ｃ２がオフラインとなった場合の説明図である。図１５に示すように、通信経路Ｃ２がオフラインとなった時点で、カード管理装置４０、島コントローラ３０又は台間カード処理機１０まで認証キーが配信済であれば、通常通りの動作を行なうことができる。
【０１３８】
しかしながら、通信経路Ｃ２がオフラインとなった時点でカード管理装置４０まで認証キーが配信されていない場合には、図１５に網掛で示すように、通信経路Ｃ２の復旧後に各処理を行なうこととなる。
【０１３９】
図１６は、通信経路Ｃ３がオフラインとなった場合の説明図である。図１６に示すように、通信経路Ｃ３がオフラインとなった時点で、島コントローラ３０又は台間カード処理機１０まで認証キーが配信済であれば、通常通りの動作を行なうことができる。
【０１４０】
しかしながら、通信経路Ｃ３がオフラインとなった時点で島コントローラ３０まで認証キーが配信されていない場合には、図１６に網掛で示すように、通信経路Ｃ２の復旧後に各処理を行なうこととなる。
【０１４１】
図１７は、通信経路Ｃ４がオフラインとなった場合の説明図である。図１７に示すように、通信経路Ｃ４がオフラインとなった時点で、台間カード処理機１０まで認証キーが配信済であれば、通常通りの動作を行なうことができる。
【０１４２】
しかしながら、通信経路Ｃ４がオフラインとなった時点で、台間カード処理機１０まで認証キーが配信されていない場合には、図１７に網掛で示すように、通信経路Ｃ２の復旧後に各処理を行なうこととなる。
【０１４３】
次に、持玉の管理の変形例について説明する。封入式遊技機２０の持玉を管理する場合には、台間カード処理機１０が持玉を全て管理する構成と、台間カード処理機１０が管理する持玉を適宜封入式遊技機２０に渡す構成と、封入式遊技機２０が全ての持玉を管理する構成とがある。
【０１４４】
図１８は、台間カード処理機１０が持玉を全て管理する構成を説明するための説明図である。この構成では、台間カード処理機１０は、図１８（ａ）に示すように、持玉数が「１」より大きいことを条件に封入式遊技機２０に発射許可を出力する。封入式遊技機２０は、台間カード処理機１０から発射許可の出力を受け、かつハンドル２１が操作された場合に遊技玉を発射する。
【０１４５】
封入式遊技機２０は、図１８（ｂ）に示すように、遊技玉の発射通知を台間カード処理機１０に出力する。また、発射した遊技玉が入賞した場合には、賞玉数を台間カード処理機１０へ通知する。
【０１４６】
台間カード処理機１０は、封入式遊技機２０からの通知に基づいて持玉数を増減させる。図１８の例では、図１８（ａ）で「１０００」であった持玉数が、図１８（ｂ）で「９９９」となった状態を示している。
【０１４７】
図１９は、台間カード処理機１０が管理する持玉を適宜封入式遊技機２０に渡す構成を説明するための説明図である。図１９（ａ）では、台間カード処理機１０が管理する持玉数は「１０００」、封入式遊技機２０が管理する持玉数は「０」である。
【０１４８】
台間カード処理機１０は、遊技客による持玉再プレイ操作を受け付けると、所定玉数（例えば１２５玉）を台間カード処理機１０が管理する持玉数から減算し、封入式遊技機２０に通知する。封入式遊技機２０は、台間カード処理機１０からの通知に基づいて自装置が管理する持玉数を増加させる。図１９（ｂ）は、台間カード処理機１０が管理する持玉数が「８７５」に減算され、封入式遊技機２０が管理する持玉数が「１２５」となった状態を示している。
【０１４９】
封入式遊技機２０は、遊技玉を発射した場合に自装置が管理する持玉数を減算し、発射した遊技玉が入賞した場合には賞玉数を自装置が管理する持玉数に加算する。図１９（ｃ）は、封入式遊技機２０が管理する持玉数が「１００」となった状態を示している。かかる遊技による持玉数の増減は、台間カード処理機１０には影響せず、台間カード処理機１０の持玉数は「８７５」のままである。
【０１５０】
そして、カード返却操作が行なわれたならば、図１９（ｄ）に示すように、封入式遊技機２０は自装置が管理していた持玉数を台間カード処理機１０へ通知し、自装置の持玉数を「０」とする。台間カード処理機１０は、封入式遊技機２０から通知された持玉数を自装置が管理していた持玉数に加算する。このため、図１９（ｄ）では、台間カード処理機１０の持玉数が「９７５」となり、封入式遊技機２０が管理する持玉数が「０」となっている。
【０１５１】
図２０は、封入式遊技機２０が全ての持玉を管理する構成を説明するための説明図である。図２０（ａ）では、台間カード処理機１０が管理する持玉数は「１０００」、封入式遊技機２０が管理する持玉数は「０」である。
【０１５２】
台間カード処理機１０は、図２０（ｂ）に示すように、自装置が管理する持玉数を封入式遊技機２０に通知し、自装置の持玉数を「０」とする。この結果、封入式遊技機２０が管理する持玉数は「１０００」となる。
【０１５３】
封入式遊技機２０は、遊技玉を発射した場合に自装置が管理する持玉数を減算し、発射した遊技玉が入賞した場合には賞玉数を自装置が管理する持玉数に加算する。図２０（ｃ）は、封入式遊技機２０が管理する持玉数が「５００」となった状態を示している。かかる遊技による持玉数の増減は、台間カード処理機１０には影響せず、台間カード処理機１０の持玉数は「０」のままである。
【０１５４】
そして、カード返却操作が行なわれたならば、図２０（ｄ）に示すように、封入式遊技機２０は自装置が管理していた持玉数を台間カード処理機１０へ通知し、自装置の持玉数を「０」とする。台間カード処理機１０は、封入式遊技機２０から通知された持玉数を自装置が管理していた持玉数に加算する。このため、図２０（ｄ）では、台間カード処理機１０の持玉数が「５００」となり、封入式遊技機２０が管理する持玉数が「０」となっている。
【０１５５】
次に、封入式遊技機と、各台計数機付きの開放式遊技機とが混在する混在環境における持玉の管理について説明する。図２１は、混在環境における持玉の管理を説明するための説明図である。
【０１５６】
封入式遊技機２０から別の封入式遊技機２０に移動した場合には、持玉は、移動元と移動先の持玉を合算して利用可能である。この時、持玉の獲得場所を別表示してもよい。また、持玉の獲得場所を別表示する場合は、優先的に利用する持玉を選択可能としてもよい。
【０１５７】
また、封入式遊技機２０から別の封入式遊技機２０に移動した場合の持玉数の表示は、合算して表示する、移動元の遊技機と移動先の遊技機とを区別して表示する、遊技機の台番号毎（または台番号＋機種名）に表示する、機種毎に表示する、等の表示態様をとることができる。表示すべき内容の量によっては、別画面表示などで対応可能としてもよい。
【０１５８】
また、封入式遊技機２０から別の封入式遊技機２０に移動した場合は、カード毎の玉貸し、持玉数（計数／払出）、差玉数を任意のパターンで集計可能とする。具体的には、合算で集計（最終利用台で集計）、移動元の遊技機と移動先の遊技機（他台持玉／自台持玉）で個別集計する、台番号毎（台番号＋機種名）に集計する、機種毎に集計する、等の集計パターンを使用することができる。
【０１５９】
開放式遊技機から封入式遊技機２０に移動した場合には、持玉は、移動元と移動先の持玉を合算して利用可能である。この時、持玉の獲得場所を別表示してもよい。また、持玉の獲得場所を別表示する場合は、優先的に利用する持玉を選択可能としてもよい。
【０１６０】
また、開放式遊技機から別の封入式遊技機２０に移動した場合の持玉数の表示は、合算して表示する、移動元の遊技機と移動先の遊技機とを区別して表示する、遊技機の台番号毎（または台番号＋機種名）に表示する、機種毎に表示する、等の表示態様をとることができる。表示すべき内容の量によっては、別画面表示などで対応可能としてもよい。
【０１６１】
また、開放式遊技機から別の封入式遊技機２０に移動した場合は、カード毎の玉貸し、持玉数（計数／払出）、差玉数を任意のパターンで集計可能とする。具体的には、合算で集計（最終利用台で集計）、移動元の遊技機と移動先の遊技機（他台持玉／自台持玉）で個別集計する、台番号毎（台番号＋機種名）に集計する、機種毎に集計する、等の集計パターンを使用することができる。
【０１６２】
なお、開放式遊技機から別の封入式遊技機２０に移動した場合の表示と集計については、合算のみを行うこととしてもよい。封入式遊技機２０から開放式遊技機に移動した場合の利用、表示、集計については、封入式遊技機２０から別の封入式遊技機２０に移動した場合と同様である。開放式遊技機から別の開放式遊技機に移動した場合の利用、表示、集計については、開放式遊技機から封入式遊技機２０に移動した場合と同様であるが、表示と集計については合算のみを行うこととしてもよい。
【０１６３】
個別の表示や集計を行なう場合には、台間カード処理機１０又はカード管理装置４０においてカード単位での遊技結果を蓄積しておき、移動先の遊技機に接続された台間カード処理機１０が挿入されたカードのカードＩＤに対応する遊技結果を取得することとなる。
【０１６４】
台間カード処理機１０がカード単位での遊技結果を蓄積する場合には、カード返却後もカードＩＤと遊技結果データ２３ｃとを対応付けて記憶する。そして、他の台間カード処理機１０からカードＩＤを指定した問い合わせを受け付けた場合に、該カードＩＤに対応する遊技結果データ２３ｃを読み出して、問い合わせ元に送信する。このように、個別の表示や集計を実現することで、遊技客が遊技機を選択する際に指標となる情報を提供することができる。
【０１６５】
上述してきたように、本実施例に係る遊技機管理システムは、封入式遊技機２０の認証に用いる認証キーを認証キー管理センタ１２０から取得する際に、予備の認証キーを含めた複数の認証キーを取得して記憶し、認証キー管理サーバ２０から新規の認証キーを取得できない場合には予備の認証キーを用いて封入式遊技機２０の認証を行なうよう構成したので、認証キーの取得に問題が生じた場合であっても封入式遊技機を稼働可能とすることができる。
【０１６６】
具体的には、認証キー管理センタ１２０とカード管理センタ１１０を結ぶ通信経路Ｃ１若しくはカード管理センタ１１０とカード管理装置４０とを結ぶ通信経路Ｃ２に障害が発生した場合であっても、封入式遊技機を稼働可能とすることができる。
【０１６７】
なお、上述の実施例は、予備の認証キーをカード管理装置４０が記憶する場合について説明を行なったが、予備の認証キーは島コントローラ３０又は台間カード処理機１０で記憶するように構成してもよい。この場合には、通信経路Ｃ１及びＣ２に加え、カード管理装置４０と島コントローラ３０とを結ぶ通信経路Ｃ３や、島コントローラ３０と台間カード処理機１０とを結ぶ通信経路Ｃ４に障害が発生した場合であっても、封入式遊技機を稼働可能とすることができる。
【０１６８】
また、上述の実施例では、認証キー管理センタ１２０と最初に接続した場合と予備の認証キーを使用した後とに予備の認証キーを取得して記憶し、未使用の予備の認証キーが記憶部４５に記憶されている場合には当日分の認証キーのみを取得する構成について説明したが、認証キー管理センタ１２０から認証キーを取得する際に常に複数の認証キーを取得し、その一部を予備の認証キーとして記憶部４５に記憶するよう構成してもよい。
【０１６９】
また、上述の実施例では、遊技玉を用いる弾球遊技機を例にとって説明したが、本発明はこれに限らず、回胴式遊技機であっても適用することができる。回胴式遊技機の場合には、遊技媒体を介さず、遊技媒体数に対応する遊技用データに基づいて回胴式遊技を行い、賞に対応する値を遊技用データに加算して更新するように構成することもできる。
【０１７０】
また、本実施例では、カードの形態についての詳細な説明を省略したが、かかるカードには、磁気カード、ＩＣカード等が含まれる。また、ここでは説明の便宜上「カード」を例にとって説明したが、かかるカード以外に、チップ、スティック、携帯端末等を用いる場合に本発明を適用することもできる。特に、ＩＣチップ付携帯端末を媒体として用いる場合は、リーダライタに当該携帯端末を翳すことにより、ＩＣチップとリーダライタとの非接触通信により当該携帯端末と関連付けられたプリペイド価値及び持玉数を取得することができる。
【０１７１】
また、図示した各構成は機能概略的なものであり、必ずしも物理的に図示の構成をされていることを要しない。すなわち、各装置の分散・統合の形態は図示のものに限られず、その全部または一部を各種の負荷や使用状況などに応じて、任意の単位で機能的または物理的に分散・統合して構成することができる。
【産業上の利用可能性】
【０１７２】
以上のように、本発明に係る遊技機管理システム、遊技場管理装置、遊技機管理方法及び遊技場管理プログラムは、遊技場内に設けられ、少なくとも所定の認証キーによって遊技制御を行ないうるようにした遊技機を動作可能とする場合に適している。
【符号の説明】
【０１７３】
１０  台間カード処理機
１０ａ  通信部
１０ｂ、２３、４５  記憶部
１０ｂ１  台間カード処理機ＩＤ
１０ｂ２  遊技機ＩＤ
１０ｂ３  管理基板ＩＤ
１０ｂ４、４５ｆ  認証キー
１０ｂ５  カードデータ
１０ｃ  遊技機管理基板
１０ｃ１  認証処理部
１０ｃ２  起動管理部
１０ｃ３  管理基板ＩＤ記憶部
１０ｄ、２４、４６  制御部
１０ｄ１  認証キー取得部
１０ｄ２  玉貸処理部
１０ｄ３  解錠処理部
１１  状態表示部
１２  紙幣挿入口
１２ａ  紙幣搬送部
１３    表示操作部
１４  カード挿入口
１４ａ  リーダライタ
１５  プリペイド価値表示部
１６  持玉数表示部
２０    封入式遊技機
２１  ハンドル
２２  扉開閉機構
２３ａ  遊技機ＩＤ
２３ｂ  機種データ
２３ｃ  遊技結果データ
２３ｄ  持玉データ
３０  島コントローラ
４０  カード管理装置
４１  表示部
４２  入力部
４３  外部ネットワーク通信部
４４  店舗ネットワーク通信部
４５ａ  店舗ＩＤ  
４５ｂ  カード管理データ
４５ｃ  装置管理データ
４５ｄ  稼働管理データ
４６ａ  カード管理部
４６ｂ  装置管理部
４６ｃ  稼働管理部
４６ｄ  認証キー管理部
５０  会員管理装置
７０  景品管理装置
８０  精算機
９０  通信回線
１１０  カード管理センタ
１２０  認証キー管理センタ
１３０  機種管理センタ
【図１】
0005989386.tif 000002
【図２】
0005989386.tif 000003
【図３】
0005989386.tif 000004
【図４】
0005989386.tif 000005
【図５】
0005989386.tif 000006
【図６】
0005989386.tif 000007
【図７】
0005989386.tif 000008
【図８】
0005989386.tif 000009
【図９】
0005989386.tif 000010
【図１０】
0005989386.tif 000011
【図１１】
0005989386.tif 000012
【図１２】
0005989386.tif 000013
【図１３】
0005989386.tif 000014
【図１４】
0005989386.tif 000015
【図１５】
0005989386.tif 000016
【図１６】
0005989386.tif 000017
【図１７】
0005989386.tif 000018
【図１８】
0005989386.tif 000019
【図１９】
0005989386.tif 000020
【図２０】
0005989386.tif 000021
【図２１】
0005989386.tif 000022